(57)【要約】      （修正有）【課題】発光装置の消費エネルギーと使用状況の最適化を図り、発光装置の省エネや安定性に優れ、かつ使用寿命の延長が可能になる映像取得装置の調光設備を提供する。【解決手段】調光設備は、映像取得装置１、映像取得装置に接続され、映像取得装置における周波数１５〜６０Ｈｚの映像信号を識別できる調光装置２、調光装置に接続され、調光装置から識別完了後の信号を受けて、パルス信号を生成するパルス制御装置３、及びパルス制御装置に接続され、パルス制御装置から生成されたパルス信号を受け、信号をトリガーとして発光するように設けられる発光装置４を備える。発光装置が映像取得装置に照明を補助的に供給するとき、調光装置とパルス制御装置は、映像取得装置の使用環境の輝度に応じて発光装置の輝度制御を行う。【選択図】図１
0003227918.tif 000002
【実用新案登録請求の範囲】
【請求項１】
デジタルカメラに接続して使用する映像取得装置の調光設備であって、
映像取得装置と、
映像取得装置に接続され、映像取得装置における周波数１５Ｈｚ〜６０Ｈｚの映像信号を識別できる調光装置と、
調光装置に接続され、調光装置から識別完了後の信号を受けて、パルス信号を生成するパルス制御装置、及び
パルス制御装置に接続され、パルス制御装置から生成されたパルス信号を受け、前記信号をトリガーとして発光するように設けられる発光装置を備えることを特徴とする映像取得装置の調光設備。
【請求項２】
前記映像取得装置は、カメラユニット、カメラユニットと調光装置に接続されるフィールド信号処理インターフェース、及び調光装置に接続される環境輝度検知器を備えることを特徴とする請求項１に記載の映像取得装置の調光設備。
【請求項３】
前記調光装置は、環境輝度検知器とパルス制御装置に接続される輝度制御ユニット、フィールド信号処理インターフェースに接続されるＮＴＳＣ／ＰＡＬ識別ユニット、フィールド信号処理インターフェースとＮＴＳＣ／ＰＡＬ識別ユニットに接続される映像信号整形処理ユニット、及び映像信号整形処理ユニットに接続される映像信号周波数識別ユニットを備えることを特徴とする請求項２に記載の映像取得装置の調光設備。
【請求項４】
前記ＮＴＳＣ／ＰＡＬ識別ユニットは、周波数５０Ｈｚ〜６０Ｈｚの映像信号を識別できることを特徴とする請求項３に記載の映像取得装置の調光設備。
【請求項５】
前記映像信号整形処理ユニットは、周波数１５Ｈｚ〜６０Ｈｚの映像信号を識別できることを特徴とする請求項３に記載の映像取得装置の調光設備。
【請求項６】
前記パルス制御装置は、映像信号周波数識別ユニットに接続されるパルス周波数設定ユニット、輝度制御ユニットとパルス周波数設定ユニットに接続されるパルス信号生成器、パルス信号生成器に接続されるパルス幅変調ユニット、及びパルス幅変調ユニットに接続されるパルス出力電流用駆動ユニットを備えることを特徴とする請求項３に記載の映像取得装置の調光設備。
【請求項７】
前記発光装置は、パルス出力電流用駆動ユニットに接続される電流拡大用駆動ユニット、及び電流拡大用駆動ユニットに接続される複数の発光ダイオードを備えることを特徴とする請求項６に記載の映像取得装置の調光設備。
【考案の詳細な説明】
【技術分野】
【０００１】
本考案は、映像取得装置の調光設備に関わり、特に、使用環境の輝度に応じて発光装置の輝度制御を行い、発光装置のエネルギーを適当に消費し、その使用状況の最適化を図り、発光装置の省エネや安定性に優れ、かつ寿命延長可能な映像取得装置に関する。
【背景技術】
【０００２】
従来のもの、例えば、台湾の特許公報第３７８３３２号「赤外線照明設備」は、発光装置、スイッチングユニット、同期信号取得モジュール、信号修正モジュール、駆動モジュール、電源変換モジュール、交流電源と赤外線カメラを備え、前記スイッチングユニットは、前記発光装置に接続し、前記赤外線発光ダイオードの回路の導通または遮断を制御し、前記同期信号取得モジュールは、前記赤外線カメラに接続し、原始映像信号を受け、かつ前記原始映像信号の出力された垂直同期信号を取得し、前記信号修正モジュールは、前記同期信号取得モジュールに接続し、前記垂直同期信号を受けて修正し、更に駆動用同期信号を出力し、駆動モジュールは、前記信号修正モジュールに接続し、前記駆動用同期信号を受けて拡大し、それで前記スイッチングユニットの開閉を駆動して、前記等赤外線発光ダイオードの明滅を制御して、赤外線の照明用光源を発光するように設けられる。  
【０００３】
しかし、上述した従来の「赤外線照明設備」では、電源変換の際、通常、電圧の揺れが発生して行なわれること、前記発光装置は、定電圧にスイッチングユニットを組み合わせて稼働する場合、その工作電流が揺れること、それに、前記  「赤外線照明設備」は、赤外線カメラの使用環境の輝度によって、発光ユニットを制御することはできないため、発光ユニットの使用状態を最適化にすることができず、発光ユニットのエネルギー消費が高く、低安定性かつ、使用寿命低下という欠点があること。  
【０００４】
従来の種々の欠点を解決するため、本考案の考案者は、その研究に取り組み、「映像取得装置の調光設備」を開発し、従来の欠点を有効に改善できる。  
【考案の概要】
【考案が解決しようとする課題】
【０００５】
本考案は、発光装置が映像取得装置に照明を補助的に供給するとき、調光装置とパルス制御装置を用い、映像取得装置の使用環境の輝度に応じて発光装置の輝度制御を行い、発光装置のエネルギーを適当に消費し、その使用状況の最適化を図り、発光装置の省エネや安定性に優れ、かつ使用寿命の延長が可能になる映像取得装置を提供することを目的とする。  
【課題を解決するための手段】
【０００６】
上述した目的を達成させるため、本考案は、映像取得装置と、映像取得装置に接続され、映像取得装置における周波数１５Ｈｚ〜６０Ｈｚの映像信号を識別できる調光装置と、調光装置に接続され、調光装置から識別完了後の信号を受けてパルス信号を生成するパルス制御装置、及びパルス制御装置に接続され、パルス制御装置から生成されたパルス信号を受け、前記信号をトリガーとして発光するように設けられる発光装置を備えることを特徴とする映像取得装置の調光設備を提供する。
【０００７】
本考案の実施形態では、前記映像取得装置は、カメラユニット、カメラユニットと調光装置に接続されるフィールド信号処理インターフェース、及び調光装置に接続される環境輝度検知器を備えることを特徴とする。  
【０００８】
本考案の実施形態では、前記調光装置は、環境輝度検知器とパルス制御装置に接続される輝度制御ユニット、フィールド信号処理インターフェースに接続されるＮＴＳＣ／ＰＡＬ識別ユニット、フィールド信号処理インターフェースとＮＴＳＣ／ＰＡＬ識別ユニットに接続される映像信号整形処理ユニット、及び映像信号整形処理ユニットに接続される映像信号周波数識別ユニットを備えることを特徴とする。  
【０００９】
本考案の実施形態では、前記ＮＴＳＣ／ＰＡＬ識別ユニットは、周波数５０Ｈｚ〜６０Ｈｚの映像信号を識別できることを特徴とする。  
【００１０】
本考案の実施形態では、前記映像信号整形処理ユニットは、周波数１５Ｈｚ〜６０Ｈｚの映像信号を識別できることを特徴とする。  
【００１１】
本考案の実施形態では、前記パルス制御装置は、映像信号周波数識別ユニットに接続されるパルス周波数設定ユニット、輝度制御ユニットとパルス周波数設定ユニットに接続されるパルス信号生成器、パルス信号生成器に接続されるパルス幅変調ユニット、及びパルス幅変調ユニットに接続されるパルス出力電流用駆動ユニットを備えることを特徴とする。  
【００１２】
本考案の実施形態では、前記発光装置係は、パルス出力電流用駆動ユニットに接続される電流拡大用駆動ユニット、及び電流拡大用駆動ユニットに接続される複数の発光ダイオードを備えることを特徴とする。  
【図面の簡単な説明】
【００１３】
【図１】本考案の基本構造を示す模式図である。
【図２】本考案のパルス出力タイミングを示す模式図である。
【考案を実施するための形態】
【００１４】
図１〜図２はそれぞれ、本考案の基本構造を示す模式図、及び本考案のパルス出力タイミングを示す模式図である。図示のように、本考案は少なくとも、映像取得装置１、調光装置２、パルス制御装置３と発光装置４とを備える映像取得装置の調光設備である。  
【００１５】
前記映像取得装置１は、カメラユニット１１、カメラユニット１１に接続されるフィールド信号処理インターフェース１２と、調光装置２に接続される環境輝度検知器１３とを備える。  
【００１６】
前記調光装置２は、映像取得装置１における周波数１５Ｈｚ〜６０Ｈｚの映像信号を識別できるもので、環境輝度検知器１３に接続される輝度制御ユニット２１、フィールド信号処理インターフェース１２に接続されるＮＴＳＣ／ＰＡＬ識別ユニット２２、フィールド信号処理インターフェース２１とＮＴＳＣ／ＰＡＬ識別ユニット２２に接続される映像信号整形処理ユニット２３、及び映像信号整形処理ユニット２３に接続される映像信号周波数識別ユニット２４を備える。前記ＮＴＳＣ／ＰＡＬ識別ユニット２２は周波数５０Ｈｚ〜６０Ｈｚの映像信号を、前記映像信号整形処理ユニット２３は周波数１５Ｈｚ〜６０Ｈｚの映像信号を識別することができる。  
【００１７】
前記パルス制御装置３は、調光装置２から識別完了後の信号を受けて、パルス信号を生成する。前記パルス制御装置３は、映像信号周波数識別ユニット２４に接続されるパルス周波数設定ユニット３１、輝度制御ユニット２１とパルス周波数設定ユニット３１に接続されるパルス信号生成器３２、パルス信号生成器３２に接続されるパルス幅変調ユニット３３、及びパルス幅変調ユニット３３に接続されるパルス出力電流用駆動ユニット３４を備える。  
【００１８】
前記発光装置４は、パルス制御装置３から生成されたパルス信号を受けて、前記信号をトリガーとして発光する。前記発光装置４は、パルス出力電流用駆動ユニット３４に接続される電流拡大用駆動ユニット４１、及び電流拡大用駆動ユニット４１に接続される複数の発光ダイオード４２を備える。  
【００１９】
本考案は使用の時、環境輝度検知器１３で、前記カメラユニット１１の使用環境における輝度変化を検知するが、環境輝度が十分だと、環境輝度検知器１３に検知された場合、立ち上げないが、使用環境の輝度が足りないと検知された場合、立ち上げることになる。そこで、該信号を輝度制御ユニット２１に転送し、それと同時に、前記カメラユニット１１に接続されるフィールド信号処理インターフェース１２が影像の原始信号を取得し、前記影像の原始信号をＮＴＳＣ／ＰＡＬ識別ユニット２２と映像信号整形処理ユニット２３に転送し、信号源に応じて、それぞれＮＴＳＣ／ＰＡＬ識別ユニット２２または映像信号整形処理ユニット２３を用いて、フィールド周期によって、フィールド周波数を識別し、それに関わるフィールド信号（図２のａ）を自動的に抽出、分離し、映像信号周波数識別ユニット２４がその周波数５０Ｈｚまたは６０Ｈｚを自動識別するが、識別完了後、確かな周波数を取得し、それから、パルス周波数設定ユニット３１が前記周波数の波形に必要な補正を行って、パルス信号生成器３２に転送し、前記パルス信号生成器３２はそれと同時に、環境輝度検知器１３とパルス周波数設定ユニット３１からの信号を受けて立ち上げる。フィールド周波数が３０Ｈｚ以上である場合、前記パルス信号生成器３２は、パルス幅変調ユニット３３に合せて、各フィールド信号周期の立ち下りエッジ前の０．８ミリ秒から、立ち下りエッジ後の０．４ミリ秒まで、計１．２ミリ秒の時間内に、１．２ミリ秒のパルス信号を生成する（図２のｂ）が、該パルス信号は、パルス出力電流用駆動ユニット３４から発光装置４の電流拡大用駆動ユニット４１に出力されることで、各発光ダイオード４２を点灯するが、フィールド周波数が３０Ｈｚ以下である場合（図２のｃ）、前記パルス信号生成器３２は、自動周波数制御を行い、パルス幅変調ユニット３３に合せて、原始フィールドの位相に基づいたパルス幅変調信号を生成するが、前記パルス幅変調信号は、パルス出力電流用駆動ユニット３４から発光装置４の電流拡大用駆動ユニット４１に出力されることで、各発光ダイオード４２を点灯する。  
【００２０】
上述した内容をまとめると、本考案における映像取得装置の調光設備では、従来技術の種々の欠点を有効に改善し、発光装置が映像取得装置に照明を補助的に供給するとき、調光装置とパルス制御装置を用い、映像取得装置の使用環境の輝度に応じて発光装置の輝度制御を行い、それにより、発光装置のエネルギーを適当に消費し、その使用状況の最適化を図り、発光装置の省エネや安定性に優れ、かつ使用寿命の延長が可能になり、本考案は更に進歩性、実用性、かつユーザのニーズを満たし、実用新案出願の要件に一致することで、規定により実用新案出願を行なうわけである。  
【００２１】
ただし、上述したのは、本考案の好適な実施形態のみであり、それを以て、本考案の実施範囲を制限してはならないものとし、本考案実用新案登録請求の範囲または明細書の内容に基づいて、それと同等な効果を得て行なわれた簡単かつ変化や改造などは全て本考案の請求の範囲に含まれるものとする。  
【符号の説明】
【００２２】
映像取得装置１
カメラユニット１１
フィールド信号処理インターフェース１２
環境輝度検知器１３
調光装置２
輝度制御ユニット２１
ＮＴＳＣ／ＰＡＬ識別ユニット２２
映像信号整形処理ユニット２３
映像信号周波数識別ユニット２４
パルス制御装置３
パルス周波数設定ユニット３１
パルス信号生成器３２
パルス幅変調ユニット３３
パルス出力電流用駆動ユニット３４
発光装置４
電流拡大用駆動ユニット４１
発光ダイオード４２
【図１】
0003227918.tif 000003
【図２】
0003227918.tif 000004